(57)【特許請求の範囲】
【請求項１】
外部から電力の供給を受けるための口金と、
ＵＶ−Ｂ（Ｕｌｔｒａｖｉｏｌｅｔ−Ｂ）の範囲の波長成分を含む光を出射する発光部と、
前記口金から供給される電力を用いて前記発光部を発光させる点灯回路を収容する、前記口金と前記発光部との間に設けられた本体部と、
挿通孔を有し、当該挿通孔に前記本体部が挿通されることによって前記本体部に取り付けられ、前記発光部から前記口金側へ向かう光の一部を遮るカバーとを備え、
前記本体部の外面には、前記挿通孔を形成する前記カバーの縁部分に前記発光部側から当接することにより前記カバーの移動を規制する第一のリッジ部と、前記カバーの前記縁部分に前記口金側から当接することにより前記カバーの移動を規制する第二のリッジ部とがそれぞれ周方向に沿って設けられ、
前記カバーの前記縁部分の内周面及び前記本体部の外面のうちの一方には、前記カバーの前記縁部分の内周面及び前記本体部の外面のうちの他方に当接することにより前記カバーの回動を規制する突起が設けられる
植物用照明装置。
【請求項２】
前記第一のリッジ部および前記第二のリッジ部の少なくとも一方は、前記本体部の外面に周方向に沿って延びるように設けられる
請求項１に記載の植物用照明装置。
【請求項３】
前記第一のリッジ部の周方向の長さは、前記第二のリッジ部の周方向の長さよりも長い
請求項１または２に記載の植物用照明装置。
【請求項４】
前記第二のリッジ部は、周方向において間隔をあけて２つ設けられ、
前記植物用照明装置の中心軸の方向から見た場合に、２つの前記第二のリッジ部は、前記中心軸に関して点対称に配置される
請求項１〜３のいずれか１項に記載の植物用照明装置。
【請求項５】
前記植物用照明装置の中心軸の方向から見た場合に、
前記挿通孔の形状は円形であり、前記本体部は、前記第二のリッジ部が設けられた方向に長い楕円である
請求項１〜４のいずれか１項に記載の植物用照明装置。
【請求項６】
前記第一のリッジ部及び前記第二のリッジ部は、前記本体部と一体形成され、
前記植物用照明装置の中心軸の方向から見た場合に、前記第二のリッジ部と、前記第一のリッジ部とは重ならず、かつ半径方向から見た場合に、前記第二のリッジ部と前記第一のリッジ部とは互い違いになっている
請求項１〜５のいずれか１項に記載の植物用照明装置。
【請求項７】
前記カバーの縁部分は、前記第二のリッジ部に対応して切り欠かれている
請求項１〜６のいずれか１項に記載の植物用照明装置。
【請求項８】
前記突起は、前記カバーの前記縁部分の内周面に設けられ、
前記植物用照明装置の中心軸の方向から見た場合に、当該中心軸と前記第二のリッジ部に対応して切り欠かれた部分とを結ぶ直線と、当該中心軸と前記突起とを結ぶ直線とは、直交する
請求項７に記載の植物用照明装置。
【請求項９】
前記突起は、前記本体部の外面に設けられ、
前記植物用照明装置の中心軸の方向から見た場合に、当該中心軸と前記第二のリッジ部とを結ぶ直線と、当該中心軸と前記突起とを結ぶ直線とは、直交する
請求項１〜６のいずれか１項に記載の植物用照明装置。
【請求項１０】
前記第一のリッジ部の高さは、２ｍｍ以上１０ｍｍ以下である
請求項１〜９のいずれか１項に記載の植物用照明装置。
【請求項１１】
前記植物用照明装置の中心軸の方向における、前記第一のリッジ部の幅は、０．５ｍｍ以上３ｍｍ以下である
請求項１〜１０のいずれか１項に記載の植物用照明装置。
【請求項１２】
前記植物用照明装置の中心軸の方向における、前記カバーの幅は、５ｍｍ以上である
請求項１〜１１のいずれか１項に記載の植物用照明装置。
【請求項１３】
前記植物用照明装置の中心軸の方向における、前記カバーの幅は、１５ｍｍ以上である
請求項１〜１２のいずれか１項に記載の植物用照明装置。
【請求項１４】
前記第一のリッジ部は、前記本体部の前記発光部側の端部に形成されている
請求項１〜１３のいずれか１項に記載の植物用照明装置。
【発明の詳細な説明】
【技術分野】
【０００１】
本発明は、植物用照明装置に関する。
【背景技術】
【０００２】
従来、植物用の照明装置が知られている。例えば、イチゴ栽培用のビニールハウスの中で天井側に電源ケーブル等に一定の間隔をあけて吊り下げられて使用される照明装置が知られている。
【０００３】
植物用の照明装置の中には、植物への病害及び虫害を防止するために、紫外線を含む光を発するものがある（例えば、特許文献１参照）。そして、このような照明装置には、紫外線による電源ケーブルの劣化を抑制するなどの目的でカバーが取り付けられることが一般的である。カバーが取り付けられる照明装置は、例えば、特許文献２−５に記載されている。
【先行技術文献】
【特許文献】
【０００４】
【特許文献１】特開２００５−３２８７３４号公報
【特許文献２】登録実用新案第３１４３３２６号公報
【特許文献３】特開平２−２５６１０３号公報
【特許文献４】特開平３−２４６８０５号公報
【特許文献５】特開２０００−２８５７１２号公報
【発明の概要】
【発明が解決しようとする課題】
【０００５】
ところで、植物用の照明装置は、地上から１．７５ｍ〜２ｍ程度の高さの位置に配置される場合がある。このため、植物用の照明装置では、一般的な照明装置とは異なり、人が照明装置に接触することがあり得る。よって、植物用の照明装置においては、人の接触等によりカバーの位置がずれにくいことが望ましい。
【０００６】
そこで、本発明は、カバーの位置がずれにくい植物用照明装置を提供する。
【課題を解決するための手段】
【０００７】
本発明の一態様に係る植物用照明装置は、外部から電力の供給を受けるための口金と、ＵＶ−Ｂ（Ｕｌｔｒａｖｉｏｌｅｔ−Ｂ）の範囲の波長成分を含む光を出射する発光部と、前記口金から供給される電力を用いて前記発光部を発光させる点灯回路を収容する、前記口金と前記発光部との間に設けられた本体部と、挿通孔を有し、当該挿通孔に前記本体部が挿通されることによって前記本体部に取り付けられ、前記発光部から前記口金側へ向かう光の一部を遮るカバーとを備え、前記本体部の外面には、前記挿通孔を形成する前記カバーの縁部分に前記発光部側から当接することにより前記カバーの移動を規制する第一のリッジ部と、前記カバーの前記縁部分に前記口金側から当接することにより前記カバーの移動を規制する第二のリッジ部とがそれぞれ周方向に沿って設けられ、前記カバーの前記縁部分の内周面及び前記本体部の外面のうちの一方には、前記カバーの前記縁部分の内周面及び前記本体部の外面のうちの他方に当接することにより前記カバーの回動を規制する突起が設けられる。
【発明の効果】
【０００８】
本発明によれば、カバーの位置がずれにくい植物用照明装置が実現される。
【図面の簡単な説明】
【０００９】
【図１】図１は、実施の形態１に係る植物用照明装置の外観斜視図である。
【図２】図２は、実施の形態１に係る植物用照明装置の分解斜視図である。
【図３】図３は、実施の形態１に係る植物用照明装置の側面図である。
【図４】図４は、光源部の上面図（Ｚ軸＋側から見た図）である。
【図５】図５は、本体部へのカバーの取り付けを説明するための上面図（模式図）である。
【図６】図６は、カバーの構造を示す図である。
【図７】図７は、植物用照明装置の使用例を説明するための図である。
【図８】図８は、電源ケーブルにおける紫外線強度の算出方法を説明するための第一の図である。
【図９】図９は、電源ケーブルにおける紫外線強度の算出方法を説明するための第二の図である。
【図１０】図１０は、本体部に突起が設けられた植物用照明装置の外観斜視図である。
【図１１】図１１は、円錐台形状のカバーを備える植物用照明装置の外観斜視図である。
【図１２】図１２は、ツイストタイプの蛍光管を発光部として備える植物用照明装置の外観図である。
【発明を実施するための形態】
【００１０】
以下、実施の形態について、図面を参照しながら具体的に説明する。なお、以下で説明する実施の形態は、いずれも包括的または具体的な例を示すものである。以下の実施の形態で示される数値、形状、材料、構成要素、構成要素の配置位置及び接続形態、ステップ、ステップの順序などは、一例であり、本発明を限定する主旨ではない。また、以下の実施の形態における構成要素のうち、最上位概念を示す独立請求項に記載されていない構成要素については、任意の構成要素として説明される。
【００１１】
なお、各図は模式図であり、必ずしも厳密に図示されたものではない。また、各図において、実質的に同一の構成に対しては同一の符号を付しており、重複する説明は省略または簡略化される場合がある。
【００１２】
（実施の形態１）
［全体構成］
まず、実施の形態１に係る植物用照明装置の全体構成について説明する。図１は、実施の形態１に係る植物用照明装置の外観斜視図である。図２は、実施の形態１に係る植物用照明装置の分解斜視図である。図３は、実施の形態１に係る植物用照明装置の側面図である。なお、図３では、カバー５０のみ、一部がＹ−Ｚ平面に平行な平面で切断された断面図として図示されている。
【００１３】
なお、以下の説明では、特に断りが無い限り、Ｚ軸＋側は「上」、Ｚ軸−側は「下」とそれぞれ表現される。また、以下の実施の形態において、植物用照明装置１０の中心軸Ｊとは、カバー５０を取り付ける場合の、カバー５０の回動の中心となる軸（回動軸）である。なお、中心軸Ｊは、光源部１００をソケットに取り付ける場合の光源部１００の回動の中心となる軸、及び、発光部４０の光軸と一致する。
【００１４】
また、Ｚ軸方向は、例えば、鉛直方向であり、Ｘ軸方向及びＹ軸方向は、互いに直交する方向であって、鉛直方向に垂直な平面上の方向である。
【００１５】
図１〜図３に示されるように、植物用照明装置１０は、光源部１００と、カバー５０とを備える。光源部１００は、口金２０と、本体部３０と、発光部４０とを備える。
【００１６】
植物用照明装置１０では、カバー５０は、カバー５０に設けられた挿通孔５１に光源部１００（本体部３０）が挿通されることによって本体部３０に取り付けられる。具体的には、挿通孔５１には、上面視した場合（中心軸Ｊの方向から見た場合）に、カバー５０に設けられた切り欠き５４と、本体部３０に設けられた第二のリッジ部３２との位置が重なる状態で、下方から本体部３０が挿通される。つまり、カバー５０は、光源部１００の口金側から取り付けられる。
【００１７】
カバー５０の下面が第一のリッジ部３１に当接するまで本体部３０が挿通されると、第二のリッジ部３２は、カバー５０の上面（平坦面５５）から外部に露出する。この状態でカバー５０を光源部１００に対して中心軸Ｊ回りに回転させると、第二のリッジ部３２がカバー５０のうち挿通孔５１を形成する縁部分に引っ掛かる。つまり、図３に示されるように、カバー５０の上記縁部分が第一のリッジ部３１と第二のリッジ部３２とに挟まれるため、カバー５０が光源部１００から抜けなくなる。
【００１８】
そして、カバー５０の上記縁部分の内周面には、突起５２が設けられ、突起５２が本体部３０の外面に当接することにより、カバー５０の回動が規制される。
【００１９】
このように、植物用照明装置１０では、第一のリッジ部３１、第二のリッジ部３２、及び、突起５２によって、カバー５０の位置がずれにくいことが特徴である。
【００２０】
［光源部］
以下、詳細な構成について説明する。まず、光源部１００について、図１〜図３に加えて図４をさらに用いて説明する。図４は、光源部１００の上面図（Ｚ軸＋側から見た図）である。
【００２１】
実施の形態１では、光源部１００は、定格電力が２４Ｗ、定格電圧が１００Ｖの電球形蛍光ランプである。上述のように、光源部１００は、口金２０と、本体部３０と、発光部４０とを備える。
【００２２】
口金２０は、発光部４０を発光させるために外部から電力の供給を受けるための金属製の端子（受電部）であり、本体部３０の一端（図中のＺ軸＋側の端）に取り付けられる。口金２０は、例えば、電源ケーブルの端部に設けられたソケットに取り付けられ、当該ソケットから電力供給を受ける。口金２０には、例えば、ＡＣ１００Ｖの商用電源から交流電力が供給される。このとき、交流電力は、口金２０を通じて本体部３０内の点灯回路に供給される。
【００２３】
口金２０は、例えば、ねじ込み型のエジソンスクリュータイプ（Ｅ形）の口金であり、具体的には、Ｅ２６形、Ｅ１７形、またはＥ１６形等であるが、口金の種類は特に限定されるものではない。
【００２４】
本体部３０は、口金２０から供給される電力を用いて発光部４０を発光させる点灯回路を収容する、中心軸Ｊの方向において口金２０と発光部４０との間に設けられた筐体（ケース部）である。本体部３０は、略半球状であり、例えば、ガラス繊維を３０％程度含有するポリブチレンテレフタレート（ＰＢＴ）、または、ガラス繊維を３０％程度含有するポリエチレンテレフタラート（ＰＥＴ）などの樹脂により形成される。
【００２５】
本体部３０に収容される点灯回路は、具体的には、口金２０を通じて得られる交流電力を高周波電力に変換するインバータ回路を含む公知の回路である。なお、点灯回路は、ＩＣ等で実現されてもよい。また、この点灯回路に必要に応じて調光機能などを持たせてもよい。
【００２６】
本体部３０の外面には、第一のリッジ部３１及び第二のリッジ部３２が、それぞれ周方向に沿って設けられる。なお、周方向とは、実施の形態１では、本体部３０を上面視した場合の、中心軸Ｊを中心とした円周方向である。まず、第一のリッジ部３１について説明する。
【００２７】
第一のリッジ部３１は、本体部３０の外面から突出した、カバー５０の移動を規制する凸部である。第一のリッジ部３１は、具体的には、挿通孔５１を形成するカバー５０の縁部分に発光部４０側（下側）から当接することにより、カバー５０の中心軸Ｊの方向の移動を規制する。
【００２８】
第一のリッジ部３１は、本体部３０の外面に周方向に沿って延びるように設けられている。これにより、第一のリッジ部３１と、本体部３０との接触面積を増大させることができるので、カバー５０の位置ずれの抑制効果を高めることができる。
【００２９】
実施の形態１では、第一のリッジ部３１は、周方向に間隔を置いて２つ設けられる。中心軸Ｊの方向から見た場合に、２つの第一のリッジ部３１は、中心軸Ｊに関して点対称に配置される。
【００３０】
第一のリッジ部３１は、植物用照明装置１０の設置時には、カバー５０を下側（Ｚ軸−側）から支持する。後述するように、発光部４０が発する光には、紫外線が含まれ、紫外線により第一のリッジ部３１が劣化すると、カバー５０が脱落するおそれがある。このため、植物用照明装置１０においては、第一のリッジ部３１の周方向の長さＬ１は、第二のリッジ部３２の周方向の長さＬ２よりも長い。これにより、第一のリッジ部３１の強度が高められている。なお、第一のリッジ部３１は、具体的には、本体部３０の全周（一周分）の７０％以上の長さにわたって設けられている。
【００３１】
なお、紫外線による劣化の観点から、第一のリッジ部３１は、本体部３０のうち発光部４０側の端部に設けられることが望ましい。第一のリッジ部３１は、カバー５０を支持し、カバー５０は、発光部４０から口金２０側へ向かう光の少なくとも一部を遮る。よって、第一のリッジ部３１は、本体部３０のうち発光部４０側の端部に設けられることにより、カバー５０が発光部４０寄りに取り付けられて、発光部４０から本体部３０への紫外線の照射量が低減される。つまり、本体部３０の紫外線による劣化を抑制することができる。
【００３２】
また、実施の形態１では、第一のリッジ部３１は、本体部３０と一体成型（一体形成）される。このような構成では、本体部３０と第一のリッジ部３１とが別部材として形成される場合に比べて、第一のリッジ部３１を簡易に形成することができる。また、十分な強度の第一のリッジ部３１が形成されるため、第一のリッジ部３１が折損（破損）しにくい効果が得られる。
【００３３】
第一のリッジ部３１の中心軸Ｊの方向の幅（厚み）は、例えば、０．５ｍｍ以上３ｍｍ以下であり、このような幅の第一のリッジ部３１によれば、第一のリッジ部３１が折損しにくい効果が得られる。なお、第一のリッジ部３１の中心軸のＪ方向の幅が３ｍｍを超えると、本体部３０と第一のリッジ部３１との一体成型が困難となる。
【００３４】
次に、第二のリッジ部３２について説明する。第二のリッジ部３２は、本体部３０の外面から突出した、カバー５０の移動を規制する凸部である。第二のリッジ部３２は、具体的には、挿通孔５１を形成するカバー５０の縁部分に口金２０側から当接することによりカバー５０の移動を規制する。
【００３５】
第二のリッジ部３２は、本体部３０の外面に周方向に沿って延びるように設けられている。これにより、第二のリッジ部３２と、本体部３０との接触面積を増大させることができるので、カバー５０の位置ずれ抑制効果を高めることができる。
【００３６】
実施の形態１では、第二のリッジ部３２は、周方向に間隔を置いて２つ設けられる。中心軸Ｊの方向から見た場合に、２つの第二のリッジ部３２は、中心軸Ｊに関して点対称に配置される。
【００３７】
ここで、実施の形態１では、第二のリッジ部３２は、第一のリッジ部３１と同様に、金型を用いて本体部３０と一体成型（一体形成）される。このとき、金型が本体部３０の平面視形状を真円に形成するための金型であっても、２つの第二のリッジ部３２が上記のように配置されていれば、本体部３０の平面視形状を長軸と短軸との差が小さい楕円形に形成することができる。
【００３８】
具体的には、図４に示されるように、２つの第二のリッジ部３２が、Ｙ軸に平行な直線上に中心軸Ｊを挟んで配置されている場合、本体部３０が成型時にＹ方向に引っ張られる。このため、本体部３０のｙ１の長さをｘ１の長さよりも長く形成することができる。植物用照明装置１０では、本体部３０のｙ１の長さは、ｘ１の長さよりも０．１ｍｍ程度長く形成される。
【００３９】
このように、本体部３０の中心軸Ｊの方向から見た形状（平面視形状）が楕円形である場合に得られる効果について、図５を用いて説明する。図５は、本体部３０へのカバー５０の取り付けを説明するための上面図（模式図）である。なお、図５では、説明の簡略化のため、第一のリッジ部３１及び第二のリッジ部３２は図示されていない。
【００４０】
本体部３０が平面視において楕円に形成されれば、カバー５０に本体部３０を挿入した直後においては、図５の（ａ）に示されるように、突起５２が本体部３０の短軸Ｊ１上に位置する。この状態では、カバー５０と本体部３０との間にわずかに隙間が設けられた状態となる。
【００４１】
図５の（ａ）の状態から、カバー５０が本体部３０に対して回転されると、突起５２が本体部３０の径の大きい部分に向かって移動し、突起５２と本体部３０との間の隙間が狭くなる。このため、図５の（ｂ）に示されるように、カバー５０と本体部３０とがより強固に位置規制（固定）される。つまり、カバー５０の回転により、上述した第二のリッジ部３２によるカバー５０の抜け止めと、突起５２によるカバー５０の固定（回転方向の位置規制）とを同時に行うことができる。
【００４２】
ここで、突起５２の高さは、特に限定されるものではないが、２つの突起５２間の距離は、ｘ１よりも大きく、ｙ１よりも小さいことが望ましい。
【００４３】
なお、ｙ１の長さをｘ１の長さよりも０．１ｍｍ程度長く形成するための金型を作製するには高い精度が必要であり、金型作製のコストが非常に高いというデメリットがある。したがって、第二のリッジ部３２の配置により本体部３０の平面視形状を楕円に形成する方法は、コストの面でメリットがある。
【００４４】
第二のリッジ部３２の中心軸Ｊの方向の幅は、例えば、０．５ｍｍ以上３ｍｍ以下であり、このような幅の長さによれば、第二のリッジ部３２が折損しにくい効果が得られる。なお、第二のリッジ部３２の中心軸Ｊの方向の幅が３ｍｍを超えると、本体部３０と第二のリッジ部３２との一体成型が困難となる。
【００４５】
以上、第一のリッジ部３１及び第二のリッジ部３２について説明した。なお、実施の形態１では、図４に示されるように、中心軸Ｊの方向から見た場合に、第二のリッジ部３２と、第一のリッジ部３１とは重ならない。また、半径方向から見た場合に、第二のリッジ部３２と第一のリッジ部３１とは互い違いになっている。このような構成によれば、本体部３０、第一のリッジ部３１、及び、第二のリッジ部３２を一体成型するための金型を簡素化することができ、本体部３０、第一のリッジ部３１、及び、第二のリッジ部３２を容易に一体成型することができる。
【００４６】
次に、発光部４０について説明する。発光部４０は、ＵＶ−Ｂ（Ｕｌｔｒａｖｉｏｌｅｔ−Ｂ）の範囲の波長成分を含む光を出射する発光管（蛍光管）である。ここで、ＵＶ−Ｂの範囲の波長とは、２８０ｎｍ以上３４０ｎｍ以下の波長である。このようなＵＶ−Ｂの波長成分を含む光が植物に照射されることにより、植物の病害の発生及び虫害の発生を抑制（防除）することができる。
【００４７】
発光部４０は、Ｕ字形に屈曲された４つのガラス管バルブが連通され、連通されたガラス管バルブ内に水銀及びアルゴンガス等の希ガスが封入されることにより形成される。このガラス管バルブの内面には、蛍光体膜が形成されている。
【００４８】
発光部４０の両端部には、フィラメントコイルからなる電極（図示せず）が設けられている。発光部４０は、この電極に点灯回路によって電圧が印加されることにより発光する。
【００４９】
発光部４０を構成するガラス管バルブは、ＵＶ−Ｂを含む紫外線を透過させるガラス材料により形成される。具体的には、発光部４０は、ＳｉＯ２、Ａｌ２Ｏ３、Ｎａ２Ｏ、Ｋ２Ｏ、ＢａＯ、Ｆｅ２Ｏ３、Ｂ２Ｏ３、及びＳｒＯ（ＭｇＯ、ＣａＯ、ＳＯ３、及びＣｅＯ２の入っていないもの）などからなるガラス材料により形成される。
【００５０】
［カバー］
次に、カバー５０について、図１〜図３に加えて、図６をさらに用いて説明する。図６の（ａ）は、カバー５０の上面図であり、図６の（ｂ）は、カバー５０の側面図であり、図６の（ｃ）は、カバー５０の断面図である。
【００５１】
カバー５０は、挿通孔５１に本体部３０が挿通されることによって本体部３０に取り付けられ、発光部４０から口金２０側へ向かう光の一部を遮る照明の傘（ランプシェード）である。また、カバー５０は、発光部４０からの光を下方に反射する反射部材としても機能する。
【００５２】
カバー５０は、具体的には、アルミニウムまたは樹脂などにより形成されるが、ＵＶ−Ｂを含む紫外線を遮ることができるのであれば、どのような材料で形成されてもよい。なお、カバー５０を形成するアルミニウムは、具体的には、Ａ１０７０、Ａ１０８０、Ａ１０５０、及びＡ１０６０などであり、紫外線の反射率を高める場合には、純度の高いアルミニウムが用いられるとよい。
【００５３】
図６に示されるように、カバー５０は、口金２０側から発光部４０側に向かうにつれて径が大きくなる略ドーム状であり、カバー５０の平面視形状は、円形である。
【００５４】
カバー５０の口金２０側には、平坦面５５が設けられる。当該平坦面５５には、平面視形状が円形の挿通孔５１が設けられる。
【００５５】
また、カバー５０の発光部４０側は、絞り加工（カーリング加工）により形成された径大部５３が設けられる。径大部５３によれば、カバー５０の端面（切断面）が内側に隠れるため、カバー５０の安全性を高めることができる。
【００５６】
カバー５０の挿通孔５１を形成する縁部分には、カバー５０の取り付け時に第二のリッジ部３２が通る、切り欠き５４が設けられている。言い換えれば、カバー５０の挿通孔５１を形成する縁部分は、第二のリッジ部３２に対応して切り欠かれている。
【００５７】
カバー５０の挿通孔５１を形成する縁部分の内周面には、中心軸Ｊに向かって突出した突起５２が設けられる。上述のように、突起５２は、本体部３０の外面に当接することによりカバー５０の回動を規制する。なお、突起５２は、少なくとも一つ設けられればよい。
【００５８】
また、図６の（ａ）に示されるように、実施の形態１では、中心軸Ｊの方向から見た場合に、中心軸Ｊと切り欠き５４（第二のリッジ部３２に対応して切り欠かれた部分）とを結ぶ直線Ｌ３と、中心軸Ｊと突起５２とを結ぶ直線Ｌ４とは、直交する。言い換えれば、突起５２は、カバー５０に本体部３０を挿入した直後に、本体部３０の短軸上に位置する。
【００５９】
つまり、突起５２は、第二のリッジ部３２によるカバー５０の抜け止めと、突起５２による回転方向の位置規制とを同時に行うために適した場所に配置されている。
【００６０】
なお、カバー５０の中心軸Ｊの方向の幅（Ｚ軸方向の厚み）は、５ｍｍ以上であることが望ましい。また、カバー５０の中心軸Ｊの方向の幅は、１５ｍｍ以上であるとさらに望ましい。
【００６１】
これにより、カバー５０の視認性を高めることができ、人がカバー５０の存在を確認することができるので、カバー５０が人の目に入るなどの危険を回避することができる。なお、このような効果は、径大部５３の中心軸Ｊの方向の幅（Ｚ軸方向の厚み）が５ｍｍ以上であっても得られる。
【００６２】
［効果等］
以上説明したように、植物用照明装置１０の本体部３０の外面には、第一のリッジ部３１と第二のリッジ部３２とが設けられている。第一のリッジ部３１は、挿通孔５１を形成するカバー５０の縁部分に発光部４０側から当接することによりカバー５０の移動を規制し、第二のリッジ部３２は、カバー５０の縁部分に口金２０側から当接することによりカバー５０の移動を規制する。
【００６３】
また、カバー５０の縁部分の内周面には、本体部３０の外面に当接することにより中心軸Ｊ回りのカバー５０の移動を規制する突起５２が設けられる。
【００６４】
以上のような構成により、ネジや接着剤などの固定部材を使用することなくカバー５０の位置ずれの発生を簡単に抑制できる。つまり、カバー５０の位置がずれにくい植物用照明装置１０が実現される。
【００６５】
（実施の形態２）
実施の形態１で説明した植物用照明装置１０は、例えば、ビニールハウスなどの天井に取り付けられる。図７は、植物用照明装置１０の使用例を説明するための図である。
【００６６】
図７に示されるように取り付けられた植物用照明装置１０においては、カバー５０は、主として、植物用照明装置１０に電力を供給する電源ケーブル６０の劣化を抑制するために使用される。
【００６７】
ここで、一般的な屋外用の電源ケーブル６０は、少なくとも１５０μＷ／ｃｍ２の紫外線強度に耐えることができる仕様となっている。したがって、カバー５０は、電源ケーブル６０に照射される紫外線強度が１５０μＷ／ｃｍ２よりも小さくなるような大きさ、形状に形成されることが望ましい。また、カバー５０は、電源ケーブル６０に照射される紫外線強度が１５０μＷ／ｃｍ２よりも小さくなるような位置に取り付けられることが望ましい。
【００６８】
ここで、電源ケーブル６０における紫外線強度の算出方法について説明する。図８及び図９は、電源ケーブル６０における紫外線強度の算出方法を説明するための図である。
【００６９】
以下では、電源ケーブル６０が図中のＸ点に配置されているものと仮定して、Ｘ点における紫外線強度の算出方法について説明する。まず、図８に示される各パラメータについて説明する。また、図８では、カバー５０は、上記実施の形態１と異なる仮想的な位置に取りつけられているものとする。
【００７０】
ｒは、中心軸Ｊから発光部４０の側面までの水平方向の距離であり、Ｒは、中心軸Ｊからカバー５０の端までの距離（カバー５０の半径）である。
【００７１】
ｈは、電源ケーブル６０からカバー５０の垂直方向の距離であり、Ｈは、電源ケーブル６０から発光部４０の下端までの距離である。
【００７２】
紫外線強度は、発光部４０からの距離が離れるほど、弱くなる。以下、このようなパラメータを用いて、電源ケーブル６０上のＸ点における紫外線強度を算出する方法について説明する。
【００７３】
中心軸ＪからＸ点までの水平方向の距離をｘとすると、図中のｙの長さは、図９に示されるような長さの関係から、以下の式によって求められる。
【００７４】
【数１】
0006358579.tif 000002
【００７５】
ここで、図８に示されるように、Ｂ＝Ｈ−ｈ−ｙと定義すると、発光部近傍の紫外線強度Ｅに対する、Ｘ点における紫外線強度の相対値は、図８中のθを用いて以下のように表される。
【００７６】
【数２】
0006358579.tif 000003
【００７７】
上記式から、Ｘ点における紫外線強度が１５０μＷ／ｃｍ２を超えないようにカバー５０の径を決定することができる。
【００７８】
なお、上記の式は、水平面紫外線強度を考慮した式であるが、電源ケーブル６０がＸ点を通る垂直（鉛直）方向に配置されるような特殊な場合には、垂直面紫外線強度が考慮されてもよい。垂直面紫外線強度は、下記の式で算出される。
【００７９】
【数３】
0006358579.tif 000004
【００８０】
なお、垂直面紫外線強度が考慮される場合も、紫外線強度が１５０μＷ／ｃｍ２を超えないようにカバー５０の径が決定されればよい。
【００８１】
（その他の実施の形態）
以上、実施の形態に係る植物用照明装置について説明したが、本発明は、このような実施の形態に限定されるものではない。
【００８２】
例えば、上記実施の形態では、カバー５０の内周面に突起５２が設けられたが、同様の機能を有する突起が、本体部３０の外面に設けられてもよい。図１０は、本体部３０に突起が設けられた植物用照明装置の外観斜視図である。なお、図１０では、カバーは図示が省略されている。
【００８３】
図１０に示される植物用照明装置１０ａでは、本体部３０の外面には、カバーの縁部分の内周面に当接することによりカバーの回動を規制する突起３３が設けられる。なお、この植物用照明装置１０ａに取り付けられるカバーの内周面には、突起は設けられない。
【００８４】
このような突起３３が設けられることによっても、カバーの位置ずれの発生を抑制することができる。なお、このような突起３３は、少なくとも一つ設けられればよい。
【００８５】
また、中心軸Ｊの方向から見た場合に、中心軸Ｊと第二のリッジ部３２とを結ぶ直線と、中心軸Ｊと突起３３とを結ぶ直線とは、直交してもよい。このような位置関係となるように突起３３が設けられれば、図５を用いて説明したように、第二のリッジ部３２によるカバー５０の抜け止めと、突起３３によるカバー５０の固定（回転方向の位置規制）とをカバー５０の回転により同時に行うことができる。
【００８６】
また、植物用照明装置に用いられるカバーの形状は、カバー５０のような形状に限定されるものではない。例えば、図１１に示される植物用照明装置１０ｂのように、カバー５０ａの形状は、円錐台形状であってもよい。図１１は、円錐台形状のカバー５０ａを備える植物用照明装置１０ｂの外観斜視図である。なお、カバー５０ａの中心軸Ｊの方向の幅（Ｚ軸方向の厚み）は、１５ｍｍ以上であり、カバー５０ａは視認性が高い。
【００８７】
また、上記実施の形態で説明された発光部４０は、一例であり、発光部の態様は特に限定されるものではない。例えば、図１２に示される植物用照明装置１０ｃのように、スパイラルタイプの蛍光管により構成された発光部４０ａが採用されてもよい。また、図示されないが、ＬＥＤまたは半導体レーザ等の半導体発光素子を有する発光部が採用されてもよいし、有機ＥＬ（Ｅｌｅｃｔｒｏ  Ｌｕｍｉｎｅｓｃｅｎｃｅ）または無機ＥＬ等の固体発光素子を有する発光部が採用されてもよいし、さらにはこれらを組み合わせたものでもよい。
【００８８】
また、上記実施の形態で説明された光源部１００は、定格電力が２４Ｗであるが、光源部１００は、植物のごく近くに設置される、定格電力が２０Ｗの光源部であってもよい。
【００８９】
以上、一つまたは複数の態様に係る植物用照明装置について、実施の形態に基づいて説明したが、本発明は、この実施の形態に限定されるものではない。本発明の趣旨を逸脱しない限り、当業者が思いつく各種変形を本実施の形態に施したものや、異なる実施の形態における構成要素を組み合わせて構築される形態も、一つまたは複数の態様の範囲内に含まれてもよい。
【００９０】
例えば、本発明は、光源部（照明用光源）として実現されてもよいし、カバーとして実現されてもよい。また、本発明は、植物用照明装置以外の一般的な照明装置として実現されてもよい。
【符号の説明】
【００９１】
１０、１０ａ、１０ｂ、１０ｃ  植物用照明装置
２０  口金
３０  本体部
３１  第一のリッジ部
３２  第二のリッジ部
３３、５２  突起
４０、４０ａ  発光部
５０、５０ａ  カバー
５１  挿通孔
５３  径大部
５５  平坦面
６０  電源ケーブル
１００  光源部
【図１】
0006358579.tif 000005
【図２】
0006358579.tif 000006
【図３】
0006358579.tif 000007
【図４】
0006358579.tif 000008
【図５】
0006358579.tif 000009
【図６】
0006358579.tif 000010
【図７】
0006358579.tif 000011
【図８】
0006358579.tif 000012
【図９】
0006358579.tif 000013
【図１０】
0006358579.tif 000014
【図１１】
0006358579.tif 000015
【図１２】
0006358579.tif 000016